(57)【要約】      （修正有）【課題】  身体に適合する衣服の選定や作成のための採寸を容易に且つ正確にできる方法と被採寸者固有のサイズの採寸モデルを正確に複製してインターネットや通販等でも利用可能とする。【解決手段】  被採寸者固有の体躯や着衣の外側を採寸するのに、基幹１を基台としこれに水平方向の各種採寸尺２を適宜並行して設けることで、複数の水平採寸尺が軸方向に一体に体系化され採寸カルテ化、システム化される。該採寸カルテからのデータが、軸方向と水平方向に伸縮する採寸モデルの躯体で再現して被採寸者固有の体躯が採寸モデルに正確に複製される。  該採寸モデルはプラスチックシートを圧空成型するときのモデル型Ｐとしても使用され、被採寸者固有の中空プラスチックモデルが廉価に提供できる。  又採寸モデルの要所には必要な圧力センサを備え、被採寸者が感じるのと同等の着心地（体感圧力）を圧力センサのデータから読み取れる。【選択図】  図２
2006152456.tif 000002
【特許請求の範囲】
【請求項１】
被採寸者の体躯（ヌード）及び又は外側（着衣のまま）を採寸するのに、人の背骨に相当する軸方向の基幹１を基台とし、該基幹１の適宜要所に水平方向の各種採寸尺２を複数並列して設けることにより、水平方向の採寸を軸方向に一体に体系化せしめる事を特徴とする採寸尺と採寸方法。
【請求項２】
前記採寸尺と採寸方法において、一つの水平方向の採寸尺２が、基幹１を軸方向に上下して複数の採寸要所を採寸することで、水平方向の採寸を軸方向に一体に体系化、立体的に採寸するようになしたことを特徴とする請求項１に記載の採寸尺と採寸方法。
【請求項３】
請求項１〜２に記載の採寸尺と採寸方法で採寸されたデータが記載される被採寸者固有の採寸カルテ。
【請求項４】
採寸モデルを構成する体躯（ヌード）の要所の部材が身長の方向（軸方向）及び、水平方向（前後及び横方向）に伸縮、移動が可能に構成され、任意のデータ或いは請求項１〜２で得られたデータに従って採寸モデルが創作或いは複製せしめられることを特徴とする採寸モデル。
【請求項５】
創作或いは複製された採寸モデルをモデル型Ｐとし、これに加熱軟化させたプラスチックシートを密着させて、前半身、後半身の成型をしてから所定の形状に一体化せしめられる請求項４に記載の中空プラスチック製の採寸モデル。
【請求項６】
上記採寸カルテのデータによって創作又は複製された採寸モデル、或いは中空プラスチックモデルの外側の要所（肩、肩囲、バスト、ウエスト、ヒップ、その他等）には、複数の圧力センサ等が設けられる請求項４〜５に記載の採寸モデル。
【発明の詳細な説明】
【技術分野】
【０００１】
この発明は衣服、即ちスーツ、制服、スポーツウエア、カジュアルウエア、ウエットスーツ等に適用ができる採寸尺と採寸方法と採寸カルテ及び採寸モデルに関し、特に専門知識が無くても容易且つ正確に採寸ができる採寸尺と採寸方法と採寸カルテ及び採寸モデルに関するものである。
【背景技術】
【０００２】
着心地の良い衣服を得るためには、可能な限り多数箇所、身体要部の寸法を測定（採寸）し、このデータに基づいて作成することが望ましい。
【０００３】
この採寸の一例として図２、図４に示すように
Ｂ．首周り            喉骨を通る位置の水平周囲
Ｃ．肩囲              肩部の最も広い位置の水平周囲
Ｄ．胸囲（バスト）    胸部の最も高い位置の水平周囲
Ｅ．胴囲（ウエスト）  腹部の最も細い位置の水平周囲
Ｆ．腰囲（ヒップ）    腰部の最も厚い位置の水平周囲
Ｇ．太股囲            股から１０ｃｍ程下の水平周囲
Ｈ．身長              
Ｉ．肩幅              首の後ろ付け根を通り肩先まで
【０００４】
更に、
上衣丈            後ろ衿ぐりから上衣裾まで
裄丈              首の後ろ付け根から肩先、肘を通り手首まで
右袖丈            右肩先から肘を通り右手首まで
左袖丈            左肩先から肘を通り左手首まで
股上              椅子に座ってウエストから椅子の面まで
股下              股からズボン裾まで
等が単独、或いは適宜組み合わせられ、採寸の要素を構成している。  
即ち衣服の正確な採寸には、専門知識を持つ人が、巻尺等で被採寸者の身体の要所を正確に測定、採寸することが必要である。
【０００５】
然しながらオーダー服は別格として、既製服、中でも制服、スポーツウエア、カジュアルウエア等の大量生産による大量販売（インターネットや通信販売）においては、専門知識を持つ人が巻尺等で顧客の身体の要所を直接測定して採寸することは現実には不可能である。
【０００６】
従ってこれらの受発注には、この採寸に代わるサイズ合わせが行われる。
通常は、顧客の体型を標準体型Ａ、肥満体型Ｂ、痩身体型Ｙ 等で区分。
更に、これらの体型に対して、夫々ＳＳ．Ｓ．Ｍ．Ｌ．ＬＬ．等をサイズ表の記号に表示分類されたものから選定されることでサイズ合わせがなされる。
然しながらここに区分されるＡ．Ｂ．Ｙ．及び分類されるＳＳ．Ｓ．Ｍ．Ｌ．ＬＬ等の記号は、その基準と成る数値が極めて曖昧であって、実際にはメーカーが適当に自社の規格を設け、これに準拠した記号又は番号がサイズ表に表示されている状態である。
【０００７】
上記からも明らかなように、既製服をサイズ表だけから選定して、体に適合する着心地の良いものを購入することは甚だ困難であった。
【０００８】
この対策として特開平０９−０６７７１１号では、被採寸者の身体のサイズを採寸するために、衣服の形態をなした服型を被採寸者に着用せしめ、前記身体に巻きつけて、折り返しによるサイズ合わせをする部分と、目視によりサイズ合わせをする部分の何れかを有し、且つ夫々のサイズ合わせをするための目盛りを有するものであるために、通販などで利用できない問題があった。
【０００９】
特開平０８−１００３１７号のボデースメジャーは、被採寸者の身体の前面部を覆う矩形の前身頃と、後面部を覆う矩形の後身頃と、前記前身頃と後身頃の夫々脇部の間を調整可能な連結材と、これに接離可能な面ファスナーと、切り込みを設けたもので、被採寸者から立体的に計測したものを平面状に展開して、製作型紙として利用するもので、矢張り通販などで利用できない問題があった。
【００１０】
特開平０９−０７５１８７号ではマネキンの体躯（ヌード）を前部と後部に分割し、後で一体に組み立てるもので採寸には利用できない問題があった。
【００１１】
特開平０５−２２３５５１号、特開平１１−７７６２０７号、特開２００２−６３４３８号及び特開２００３−２６９９３６号は被採寸者の外観をカメラで得た画像データから自動採寸するシステムのため、被採寸者は必ず一度はカメラやセンサの前に立たなければならないため、通販などで利用できない問題があった。
【００１２】
更に上記した従来の採寸方法と装置は、殆どが衣服の外側（着衣のまま）の採寸であるために、同一寸法であっても、衣服の厚みが大きい場合、衣服の厚みの小さいものよりも体躯（ヌード）（ブラジャーなど最低限の被着）に掛かる締め付けが当然強くなる。
反対に衣服の厚みが小さいものでは、体躯（ヌード）との間に余計な空間が生じる。
これらは夫々着心地に及ぶことになる。
【００１３】
【特許文献１】特開平０５−２２３５５１号
【特許文献２】特開平０８−１００３１７号
【特許文献３】特開平０９−０６７７１１号
【特許文献４】特開平０９−０７５１８７号
【特許文献５】特開２００２−０６３４３８号
【特許文献６】特開２００２−３１７３２２号
【特許文献７】特開２００３−２６９９３６号
【発明の開示】
【発明が解決しようとする課題】
【００１４】
この発明が解決しようとする課題は、上記従来の問題点を解決することである。
即ち、身体の寸法に近いサイズの衣服を選ぶのではなく、身体に適合した着心地の良い衣服を容易に選定、及び又は容易に作成せんとするものである。
【００１５】
そして、上記課題を達成するために、採寸に不慣れな人でも取り扱いが容易で、且つ正確な身体の採寸ができる採寸尺と採寸方法によって得たデータで構成された採寸カルテから複製される採寸モデルを利用することによって、インターネットや通信販売などでも適用できることを目的としている。
【課題を解決するための手段】
【００１６】
この発明者は、体躯（ヌード）及び外側（着衣のまま）を採寸するのに、人の背骨に相当する軸方向の基幹１を基台とし、これに水平方向の各種採寸尺２を適宜並列して設けることによって、水平方向の採寸が軸方向に体系化されることに着目し、この発明を完成するに至ったものである。
【００１７】
即ちこの課題は、従来被採寸者のバスト、ウエスト、ヒップ等水平方向周囲のデータが夫々独立して採寸されていたのに対し、この発明では基幹１に対し水平採寸尺２が並列して設けられ、且つ被採寸者のバスト、ウエスト、ヒップ等夫々の水平方向の周囲が採寸されてデータが体系化されることによって解決される。
【００１８】
そして上記採寸されたデータは採寸カルテ化され、メーカー及び又は販売者が、予め統計などによって分類、規格化して製作されている既製服の中から、前記採寸に対応するサイズの衣服を選択、これを前記採寸に対応する採寸モデルに被着せしめてサイズ合わせができる。然してこれ等被着作業は経験を積むことによって、採寸カルテを読むだけで前記採寸に対応するサイズの衣服を選択でるようになる。
【００１９】
ここに使用される採寸モデルはマネキンに似た体躯（ヌード）のもので、必要に応じて体躯の各部材が図4に示すように軸方向、及び図５に示すように水平方向（前後及び横方向）に伸縮調節が可能であり、且つその位置の少なくとも一部の水平方向周囲のサイズが被採寸者固有の採寸カルテのデータによって複製される。
【００２０】
更に、採寸によって複製された採寸モデルの外側の要所（肩囲、バスト、ウエスト、ヒップ等）、及び肩等には、複数の圧力センサを設けることができる。
この圧力センサによって、各部分及び全体の体感圧力、即ち着心地がデータとして表示される。  
【発明の効果】
【００２１】
以上に説明したように、この発明の採寸尺と採寸方法で得られた採寸カルテから、被採寸者固有の体型が、該採寸データに対応する採寸モデル（サイズの変更ができる。圧力センサが付く）によって忠実に複製せしめられる。
即ちメーカー及び又は販売者は、被採寸者を直接採寸しなくても、被採寸者から提供される前記採寸カルテによって、被採寸者固有のサイズに複製された採寸モデルに対処することで、正確な採寸の目的を達成することができる。
そして予め作成している近似サイズの衣服を、該採寸モデルに被着せしめて前記被採寸者の採寸に対応した衣服の作成、或いはサイズ合わせ（修正を含む）ができる。
【００２２】
この採寸モデルは圧力センサによって被採寸者の着心地までも検証ができる。
然して被採寸者の採寸が、専門知識の人、又はカメラ等の特殊な測定装置の採寸に依らなくても、被採寸者とその協力者とによって正確に体系化された測定が、被採寸者の自宅においてでも実施でき、このデータが配送、配信、更にはシステム化されることからインターネットや通信販売などでも利用できる。
更に、体躯（ヌード）の採寸による着心地優先と、着衣の採寸による外側（着衣のまま）ファッション優先、の何れか又は両方を測定して、着心地とファッションの両方を満足させる衣服が提供できる。
更にまた、被採寸者固有の体型の中空プラスチックモデルが廉価に提供できる。
【発明を実施するための最良の形態】
【００２３】
以下にこの発明の採寸尺と採寸方法と採寸カルテ及び採寸モデルを、実施例によって説明する。
図１、図３（イ）に示すように、人の背骨に相当する軸方向の基幹１には上端部から上
衣裾（下方向）Ｓに向かって、０〜７０ｃｍの連続した縦目盛りＹが設けられている。
基幹１は首周り採寸尺Ｂに固定され、この固定部Ａを縦目盛りＹの起点０点として設定されている。これがこの発明の採寸尺と採寸方法と採寸カルテ及び採寸モデルの基準となる。基幹１には図２に示すように首周り採寸尺Ｂを始めとし、下方に順次、肩囲採寸尺C、胸囲(バスト)採寸尺D、胴囲(ウエスト)採寸尺E、腰囲(ヒップ)採寸尺F等の採寸尺２が夫々水平方向に並列して設けられ、且つ夫々が軸方向に移動が可能に取り付けられる。
然してこれらが軸方向に並列せしめられることにより体系化され、立体化された採寸モデルとなる。
【００２４】
軸方向に並列して水平に設けられる各採寸尺２（Ｂ．Ｃ．Ｅ．Ｆ）には従来どおり、例えば特開２００２−３１７３２２号でも公知の、夫々の採寸をするのに適切な長さと横目盛りＸが、図３（ロ）に示すように設けられている。
【００２５】
そして首周り採寸尺Ｂ、肩囲採寸尺C、胸囲採寸尺D、胴囲採寸尺E、腰囲採寸尺Fは、
夫々採寸尺２の略中央部が、夫々基幹１に、軸方向にスライド可能に固定できる。
固定手段としては、縦方向の基幹１と横方向の採寸尺２の双方を所定位置で直接重ねてから、両面テープで接着するか、ホチキスで２箇所止めるなどができる。
然して夫々の水平採寸尺２は、夫々の採寸位置で身体に巻きつけられて前方で交差し、その端部にある夫々の三角マークＺが指す横目盛りＸを読むようになっている。
【００２６】
又基幹１の軸方向には上端部の固定点Ａを起点０とし、上衣裾Ｓに向かって連続した縦目盛りＹが設けられ、首周り採寸尺Ｂの固定点Ａ、肩囲採寸尺Cの固定点３、胸囲採寸尺Dの固定点４、胴囲採寸尺Eの固定点５、腰囲採寸尺Fの固定点６等は、夫々の位置を基幹１の縦目盛りＹの数値から読み取ることができる。
【００２７】
然してこの発明に係る採寸尺、即ち基幹１及び水平採寸尺２は使い捨ての要があるため、材質は廉価な紙又はプラスチックでリサイクルできることが好ましい。
これらの採寸尺には上記横目盛りＸ及び縦目盛りＹが設けられる。
また基幹１となる採寸尺は、夫々の水平方向採寸尺２が水平に取り付けられ、且つ正確に縦目盛りＹを読み取る必要があるため、基幹１となる採寸尺部材は４〜６ｍｍ程度の幅で構成されることが好ましい。
そして夫々の採寸尺２と基幹１には、必要に応じて図３（イ）に示すように基幹１に対して、採寸尺部材が上下に移動しながら水平に取り付けられるスライド溝１２を備えた  ガイド１０が設けられることが望ましい。
【００２８】
水平方向採寸尺２を基幹１に固定する手段としては、前記ガイド１０を両面テープ、接着テープで基幹１に固定する。
【００２９】
基幹１は体躯（ヌード）に密着、背骨に沿って曲がる。
首周りＢ、肩囲C、胸囲D、胴囲E、腰囲Fの各採寸尺２は夫々が夫々の測定点の位置で固定され、図２に示すように全体の態様が骨格のように構成することができる。
この場合、夫々の測定点で水平位置の採寸尺２を固定すると同時に、その位置で水平方向のデータ（横目盛りＸ）と、基幹１の軸方向のデータ（縦目盛りＹ）から読み取ったデータを、図１０に例示す採寸カルテＶに記載する。
【００３０】
この発明の他の例では、ガイド１０は、基幹１を上下軸方向に移動して採寸することができることから、肩囲採寸尺Cを使用し、肩囲採寸尺Ｃ一つで胸囲採寸尺D、胴囲採寸尺E、腰囲採寸尺Fにも兼用する。
即ち、夫々の位置で夫々の採寸を行い夫々のデータを横目盛りＸから読み取る。
【００３１】
更にガイド１０は、基幹１を上下軸方向にスライド溝１２で移動することができるだけでなく、必要に応じて水平方向にも採寸尺２をスライド移動させることが好ましい。このためにガイド１０にはスライド溝１３が設けられている。
【００３２】
尚上記では基幹１から被採寸者固有の体躯を体系的に採寸するものであるが、これらに劣らず大切な肩幅Ｉ、上衣丈、裄丈、も基幹１の固定点Ａ即ち起点０から夫々の採寸尺で採寸することができる。肩先から採寸される右袖丈、左袖丈等は別途採寸される。
【００３３】
上記では衣服の上衣の採寸について概略を説明したが、下衣即ちズボンについて、太股囲、股上、股下その他の採寸は公知の採寸方法が適用できる。
【００３４】
この発明は、被採寸者を採寸するために人の背骨に相当する軸方向の基幹１を基台とし、これに水平方向の各種水平採寸尺２を適宜並列に設け、採寸が軸方向に体系化されることが要旨であるが、最小限の部材を身体に纏った体躯（ヌード）の採寸だけでなく、必要に応じて被採寸者が衣服を着用した外側（着衣のまま）、ファッションを重視した採寸にも併用できることは当然である。
【００３５】
またこの発明を正確に具体化するための採寸モデルWは、図４〜５に示すように、例えばマネキンの体躯（ヌード）を用い、その要所（肩囲採寸尺C、胸囲採寸尺D、胴囲採寸尺E、腰囲採寸尺F）に対応する部分が夫々に分割されて、軸方向と水平方向、前後、左右、伸縮自在に調節設定されるようになっている。
そして採寸カルテＶのデータを夫々の水平位置のデータ、及び又は固定点Ａの起点０からの距離のデータに設定されることで、被採寸者固有の体躯（ヌード）を精密に複製した採寸モデルＷが形成される。
以下実施例によってこの発明の詳細を説明するが、同一部材、同一の用途については同じ符号を付してその説明を省略する。
【実施例１】
【００３６】
実施例は図1〜３に示す。基幹１は首周り（カラー）Ｂの背面に固定され、その固定点Ａを起点０として下方の上衣裾Ｓに向かって長さ７０ｃｍの縦目盛りＹが設けられている。
首周り（カラー）Ｂは同時に水平方向の採寸尺２であって、首に巻きつけられた端部の三角マークＺが重複交差し、図３（ロ）に示すように首周りＢの長さが横目盛りＸで読めるようになっている。
この時採寸尺２である首周り（カラー）Ｂの端部の三角マークＺは、首周り（カラー）Ｂに重複すると同時に横目盛りＸ上に、両面テープ又はマジックテープ（登録商標）、ホチキス、或いは安全ピン等で適切に固定される。
【００３７】
肩囲採寸尺Cは肩部の最も広い位置の水平周囲を採寸するもので、横目盛りＸのデータ３を端部の三角マークＺから読み取ると共に、軸方向の位置を基幹１の起点０から縦目盛りＹのデータを三角マークＺ”から読み取ることで２つのデータが採寸され、採寸カルテＶに記載される。
胸囲（バスト）採寸尺D、胴囲（ウエスト）採寸尺E、腰囲（ヒップ）採寸尺F等も夫々肩囲採寸尺Cと同様、基幹１の起点０からの縦目盛りＹのデータと横目盛りＸのデータとの２つのデータが夫々採寸され、採寸カルテＶに記載される。
【００３８】
以下に成人男性、身長１７０ｃｍの各採寸データを例示する。
即ち図10に示す採寸カルテＶには
身長、    Ｈ                  １７０
X         Y
首周り、  Ｂ              ３９×      ０
肩囲、    Ｃ            １００×      ９
胸囲、    Ｄ              ９３×    ２５
胴囲、    Ｅ              ８３×    ４２
腰囲、    Ｆ              ９５×    ５８
太股囲、    Ｇ                      ５４
と記載される。
そして別欄には必要に応じて
肩幅、上衣丈、裄丈、右袖丈、左袖丈、着丈、股上、股下、等が記載される。
【実施例２】
【００３９】
この実施例も実施例１と同じように基幹１は、首周り（カラー）Ｂの背面に固定点Ａで固定され、そして下方の上衣裾Ｓに向かって長さ７０ｃｍの縦目盛りＹが設けられている。
首周り（カラー）Ｂは同時に採寸尺２であって首に巻きつけられて採寸される。
基幹１には縦目盛りＹが設けられている。更に基幹１にはガイド１０が上下にスライドしながら、ガイド１０に設けられた端部の三角マークＺ”で縦目盛りＹを読み取り、起点０から軸方向の要所各部位（肩囲C、胸囲D、胴囲E、腰囲F）のデータとする。
即ちガイド１０は、図３（イ）に示すように、基幹１に対して水平採寸尺２が傾斜しないで上下するように縦スライド溝１２が設けられ、そして該採寸尺２が水平に安定して移動するように横スライド溝１３が設けられている。
水平採寸尺２は図３（ロ）に示すように、その先端に三角マークＺが記され、採寸尺２の横目盛りＸを読み取るようになっている。
この実施例によると、首周り（カラー）Ｂの背面の固定点Ａに固定された基幹１と、そしてガイド１０と、一番長い肩囲水平採寸尺Ｃ一本によって、前記要所各部位全てのデータを採寸して読み取ることができる。
更に、固定点Ａで固定される肩幅採寸尺Ｉから裄丈、袖丈等が採寸できる。
【実施例３】
【００４０】
この実施例は、被採寸者をこの発明の体系化された採寸方法と採寸尺で採寸した採寸カルテＶによって、被採寸者の体躯（ヌード）を複製して再現することができる採寸モデルWの一例である。
採寸モデルWは図４に示すように、首周りＢと肩囲Cの間ａ（点線）、肩囲Cと胸囲Dの間ｂ（点線）、胸囲Dと胴囲Eの間ｃ（点線）、胴囲Eと腰囲Fの間ｄ（点線）が必要に応じて軸方向に分離され、軸方向の距離が伸縮自在に調節されるようになっている。
点線は分割可能な位置を示している。    
更に首周りＢ、肩囲C、胸囲D、胴囲E、腰囲Fを構成する各部材は図５に示すように
夫々が水平方向に分割され、前左部材２０、前右部材２１、後左部材２２、後左部材２３の４個に分割されるようになっている。
【００４１】
一例として、図５に分割された胴囲Eが伸縮せしめられる態様を示す。
図５（イ）は胴囲Ｅの平面図で、（ロ）はＢ−Ｂ線側面図である。
先ず前左部材２０と前右部材２１が調節板３０によって位置が決められ、ビス３１で固定される。ビス３１に対応するナットは、図示していないが横にスライドができ、横幅の伸縮ができるようになっている。
次に前左部材２０と前右部材２１に設けられた雌ネジ２４．２４に対して、後左部材２２、後左部材２３の穴２５と穴２５から調節ボルト２６と２６が捻じ込まれる。前左部材２０と前右部材２１には別途穴３２．３２が設けられ、その中にバネ３３．３３が埋設されている。
【００４２】
前部部材の調節板３０にはクランプリング３６があって、背柱３５に固定され、軸方向の位置決めができるようになっている。背柱３５は少なくとも1方向（前後）に曲がるフレキシブルなパイプ構造で構成されることが好ましい。
【００４３】
そして該背柱３５には、基幹１の起点０からの縦目盛りＹに対応する目盛りが刻まれている。即ちクランプリング３６を背柱３５の目盛りに合わせるだけで、胴囲Ｅを軸方向の指定位置に設定することができる。
【００４４】
この位置決めと固定は胴囲Ｅだけでなく、首周りＢ、肩囲C、胸囲D、腰囲F等他の部材にも適用できる。
【００４５】
首周りＢ、肩囲C、胸囲D、胴囲E、腰囲Fを構成する部材の表面の少なくとも一部及び肩など他の体の要所には圧力センサ３７が設けられ、そのデータが測定され、体感圧力として採寸カルテＶに表示される。
【実施例４】
【００４６】
この実施例は図６に示す。躯体３８は略人体の特徴を持った形状のもので、凡そ、大、中、小、程度の大きさに分けられて作られる。
この躯体３８には縦目盛りＹが刻まれている。そして採寸カルテＶに示された胴囲Ｅのデータによって、図７（イ）に示すように胴囲Ｅに巻回されるテープＴの長さが設定される。該テープＴと躯体３８の間には図７（ロ）に示すように、予め空気チューブＴｕが巻回設けられている。この空気チューブＴｕが空気圧で膨らませられることによって、テープＴを緊張させ、所定位置（胴囲Ｅ）における設定サイズが得られる。
即ちテープＴによって実施例５と同じサイズの胴囲Ｅが得られる。
胴囲Ｅの基本型は躯体３８の断面形状で決められる。
圧力センサ３７はテープＴ、空気チューブＴｕの上その他、適宜身体の表面に設置することができる。首周りＢ、肩囲C、胸囲D、胴囲E、腰囲F等同様である。
【実施例５】
【００４７】
この実施例は図8に示す。躯体３８は実施例４と同じ様に、略人体の特徴を持った形状のものを使用する。そして採寸カルテＶのデータから、縦目盛りＹの所定の位置に片面接着のクッションテープＵを巻回して貼付し、この上にテープＴを所定の長さで巻回する。  即ちクッションテープＵを巻回して、空気チューブＴｕの代わりをさせる。圧力センサ３７その他は実施例３〜４と同様である。
【実施例６】
【００４８】
この実施例は上記で作成された採寸モデルWの体躯をプラスチックシートの成型の型（モデル型Ｐ）として利用することを特徴とする。
モデル型Ｐは、全体がプラスチックシート４１の厚さ１．５ｍｍだけ、採寸カルテＶのデータよりも小さく作られている。
そして、加熱軟化させた厚さ１．５ｍｍのプラスチックシート４１を図９に示すように、３〜５ｋｇ／ｃｍ２の圧縮空気４０で圧空箱４２、４２”に入ったモデル型Ｐに密着させて成型し、前部半分の成型体４３を得る。
後部半分も同様の手順で作成、後で一体に仕上げられる。
【００４９】
圧空箱４２”の中にはモデル型Ｐと、該モデル型Ｐを支える保持具４５を備え、所定の
高さまで砂４６が充填される。充填された砂４６の露出している表面には石膏４７で皮膜が作られる。
更にモデル型Ｐの下面には、モデル型Ｐに傷が付かないようにポリエチレンのラップシートが敷かれる。図中４４はプラスチックシート４１を押さえるダイスである。
【００５０】
上記実施例３〜５の採寸モデルWは首周りＢ、肩囲C、胸囲D、胴囲Ｅ、腰囲F等の各部位の部材が切断分離で膨張、変形させられている。
このために生じている段差、隙間に紙粘土などを埋めて、表面を平滑にし、モデル型Ｐとすることが好ましい。かくして、プラスチックシートから成型された美麗な被採寸者固有の中空プラスチックモデルの体躯（ヌード）が得られる。
【産業上の利用可能性】
【００５１】
基幹１の縦目盛りＹと、水平採寸尺２の横目盛りＸによって、首周りＢ、肩囲C、胸囲D、胴囲E、腰囲Fなどのデータを体系化したことにより、被採寸者固有の採寸カルテＶ及び採寸モデルWとなる。
【００５２】
前記採寸モデルの複製に際して、採寸モデルの体躯を構成する分割された部材の軸方向及び、水平方向（前後及び左右）への伸縮が、例えば数値制御化されたモーター、シリンダー等でなされ、肩囲Cなど採寸カルテのデータが瞬時に採寸モデルに複製再現されることで、顧客に試着せしめたのと同様の効果が手軽に得られる。
この採寸尺と採寸方法と採寸カルテによる採寸モデルと衣服がシステム化され、インターネットや通信販売に利用できる。
【００５３】
更に、被採寸者固有の体躯（ヌード）を写した中空プラスチックモデルが廉価に製造でき、中空プラスチックモデルの製作が一つの事業になる。
【００５４】
前記被採寸者固有の採寸カルテで複製される中空プラスチックモデルは、水嚢などで体重の付加ができ、ヒータで加熱もできる。更には屈曲できる背柱によって、或は背柱の中を通したワイヤー等を操作することによって、ロボットのように自由に体位の変換ができる。下半身、下肢等はマネキンなどを利用できる。
更に設けられた圧力センサによって、人体に近いロボットとなり、精密な体感が必要な用途（例えば寝たきり状態の体の感覚の数値化の用途等）に利用できる。
上記構成から被採寸者固有サイズの擬人ロボットが極めて廉価に提供できる。
【図面の簡単な説明】
【００５５】
【図１】図１はこの発明の基幹１を示す斜視図である。
【図２】図２は基幹１に各種水平採寸尺２と肩幅採寸尺Ｉを付けた斜視図である。
【図３】図３はガイド１０による採寸の態様を示し、（イ）は背側から見たガイド１０の三角マークＺ”から基幹１の縦目盛りＹを読む斜視図である。（ロ）は前方三角マークＺから水平方向の横目盛りＸを読む斜視図である
【図４】図４は軸方向にも伸縮できる採寸モデルの斜視図である。
【図５】図５は伸縮できる採寸モデルの（イ）は、分割できる腰囲Ｆの態様を示す図４のＡ−Ａ線横断面図である。（ロ）は、図５のＢ−Ｂ線の正面図である。
【図６】図６は実施例4の採寸モデルの斜視図である。
【図７】図７（イ）は、図６のＡ−Ａ線横断面図である。（ロ）は、図７（イ）Ｂ−Ｂ線横断面図である。
【図８】図８は、図７（イ）Ｂ−Ｂ線横断面図である。
【図９】図９は実施例6の圧空成型の模式図である。
【図１０】図１０は採寸カルテの模式図である。
【符号の説明】
【００５６】
Ａ．固定点
Ｂ．首周り  
Ｃ．肩囲    
Ｄ．胸囲    
Ｅ．胴囲    
Ｆ．腰囲    
Ｇ．太股    
Ｉ．肩幅    
Ｐ．モデル型
S．上衣裾  
Ｔ．テープ  
Ｔｕ．チューブ
Ｖ．採寸カルテ
Ｗ．採寸モデル
Ｘ．横目盛り  
Ｙ．縦目盛り  
Ｚ．三角マーク
Ｚ”．軸方向の三角マーク
１．基幹
２．水平採寸尺
３．肩囲採寸尺Cの固定点
４．胸囲採寸尺Ｄの固定点
５．胴囲採寸尺Ｅの固定点
６．腰囲採寸尺Ｆの固定点
１０．  ガイド
１２．  縦スライド溝
１３．  横スライド溝
２０．  前左部材
２１．  前右部材
２２．  後左部材
２３．  後右部材
２４．  雌ネジ
２５．  穴
２６．  調節ボルト
３０．  調節板
３１．  ビス
３２．  穴
３３．  バネ
３５．  背柱
３６．  クランプリング
３７．  圧力センサ
３８．  躯体
４０．  空気
４１．  プラスチックシート
４２．  圧空箱
４２”． 圧空箱
４３．  成型体
４４．  押さえダイス
４５．  保持具
４６．  砂
４７．  石膏
【図１】
2006152456.tif 000003
【図２】
2006152456.tif 000004
【図３】
2006152456.tif 000005
【図４】
2006152456.tif 000006
【図５】
2006152456.tif 000007
【図６】
2006152456.tif 000008
【図７】
2006152456.tif 000009
【図８】
2006152456.tif 000010
【図９】
2006152456.tif 000011
【図１０】
2006152456.tif 000012